【手続補正書】
【提出日】平成18年9月14日(2006.9.14)
【手続補正１】
【補正対象書類名】明細書
【補正対象項目名】特許請求の範囲
【補正方法】変更
【補正の内容】
【特許請求の範囲】
【請求項１】自動車のルーフ上にビデオカメラを設けて、車室内の天井周縁部と天井中心部の間にモニタを設け、又は、車室内前部にモニタを設けたことを特徴とする視認カメラ装着車において、ルーフ下のハウジングの上に設けたルーフ原寸のビデオカメラ取付ベース上の中心をルーフ上基点とし、そのルーフ上基点を中心に、ビデオカメラ取付ベース上に放射状にビデオカメラ取付溝を形成し、ビデオカメラ取付ベースの周縁部のビデオカメラ取付溝にビデオカメラを取り付け、ルーフ原寸のビデオカメラ取付ベースに視認窓付きルーフを被せた視認カメラ装着車。
【請求項２】自動車のルーフ上にビデオカメラを設けて、車室内の天井周縁部と天井中心部の間にモニタを設け、又は、車室内前部にモニタを設けたことを特徴とする視認カメラ装着車において、ルーフ下のハウジングの上に設けたルーフ原寸のビデオカメラ取付ベース上に、運転席に座った運転者の頭上に相当する点を設定してルーフ上基点とし、そのルーフ上基点を中心に、ビデオカメラ取付ベース上に放射状にビデオカメラ取付溝を形成し、ルーフ原寸のビデオカメラ取付ベースの周縁部のビデオカメラ取付溝にビデオカメラを取り付け、ビデオカメラ取付ベースに視認窓付ルーフを被せた視認カメラ装着車。
【請求項３】自動車のルーフ上にビデオカメラを設けて、車室内の天井周縁部と天井中心部の間にモニタを設け、又は、車室内前部にモニタを設けたことを特徴とする視認カメラ装着車において、ルーフ上の中心をルーフ上基点とし、そのルーフ上基点を中心とするルーフ上放射状線がルーフ周縁部と交わる位置にて、透明保護具を覆設して表面にビデオカメラを取り付けたビデオカメラ取付ベースの底面の撮像方向線位置決め溝、又は、撮像方向中央線位置決め溝を、ルーフ上放射状線に合わせて、ビデオカメラ取付ベースをルーフ周縁部に固定した視認カメラ装着車。
【請求項４】自動車のルーフ上にビデオカメラを設けて、車室内の天井周縁部と天井中心部の間にモニタを設け、又は、車室内前部にモニタを設けたことを特徴とする視認カメラ装着車において、運転席に座った運転者の頭上に相当する点をルーフ上に設定してルーフ上基点とし、そのルーフ上基点を中心とする放射状線がルーフ周縁部と交わる位置にて、透明保護具を覆設して表面にビデオカメラを取り付けたビデオカメラ取付ベースの底面の撮像方向線位置決め溝、又は、撮像方向中央線位置決め溝を、ルーフ上放射状線に合わせて、ビデオカメラ取付ベースをルーフ周縁部に固定した視認カメラ装着車。
【請求項５】透明保護具を覆設した透明保護具基台を、ビデオカメラ取付ベースの外周にネジ止め等して取り付け、ビデオカメラ取付ベースの底面に単数のビデオカメラ撮像方向位置決め溝を形成し、ビデオカメラ取付ベースの表面に単数のビデオカメラを取り付けてなる単数カメラ透明保護具を、ルーフ周縁部に設けた請求項３、４項記載の視認カメラ装着車。
【請求項６】透明保護具を覆設した透明保護具基台を、ビデオカメラ取付ベースの外周にネジ止め等して取り付け、底面に単数のビデオカメラ撮像方向中央線位置決め溝を形成したビデオカメラ取付ベースの表面に、複数のビデオカメラを取り付けてなるカメラ透明保護具をルーフ周縁部に設けた請求項３、４項記載の視認カメラ装着車。
【請求項７】透明保護具を覆設した透明保護具基台を、ビデオカメラ取付ベースの外周にネジ止め等して取り付け、ビデオカメラの撮像方向を交互に上下に変えて、ビデオカメラをルーフ周縁部に連続して設けた請求項３，４、５項記載の視認カメラ装着車。
【請求項８】透明保護具を覆設した透明保護具基台を、ビデオカメラ取付ベースの外周にネジ止め等して取り付け、底面に単数の撮像方向位置決め溝を形成したビデオカメラ取付ベースの表面に単数のビデオカメラを立設し、ビデオカメラに電動ミラー駆動装置を併設してなる単数電動ミラー傾動装置併設カメラ透明保護具をルーフ周縁部に設けた請求項３，４項記載の視認カメラ装着車。
【請求項９】透明保護具を覆設した透明保護具基台を、ビデオカメラ取付ベースの外周にネジ止め等して取り付け、底面に単数の撮像方向中央線位置決め溝を形成したビデオカメラ取付ベースの表面に複数のビデオカメラを立設し、複数のビデオカメラにそれぞれ電動ミラー駆動装置を併設してなる複数電動ミラー傾動装置併設カメラ透明保護具をルーフ周縁部に設けた請求項３，４項記載の視認カメラ装着車。
【請求項１０】透明保護具を覆設した透明保護具基台を、ビデオカメラ取付ベースの外周にネジ止め等して取り付け、ビデオカメラに本体支持装置と上下用進退装置を取り付けてなる本体傾動装置付きカメラ透明保護具を、ルーフ周縁部に設けた請求項３，４項記載の視認カメラ装着車。
【請求項１１】車輪の上方に相当する車の表面に照星燈を設け、照星燈に対面するビデオカメラを内蔵した本体傾動装置付きカメラ透明保護具や、単数カメラ透明保護具や単数電動ミラー傾動装置併設カメラ透明保護等のカメラ透明保護具を、ルーフの縦中心線に平行な線とルーフ周縁部の交わる位置に設けた請求項３，４項記載の視認カメラ装着車。
【請求項１２】ビデオカメラを、ビデオカメラ保持台の上部に横置きして取り付けた請求項３，４項記載の視認カメラ装着車。
【請求項１３】ビデオカメラを、電動回動装置付きビデオカメラ保持台の上部に横置きして取り付けた請求項３，４項記載の視認カメラ装着車。
【請求項１４】モニタを、液晶パネルの両側に光輝性縦材を添設した光輝枠付モニタとした請求項１，２，３，４項記載の視認カメラ装着車。
【請求項１５】モニタを、液晶パネルに縦線図形を印刷した模様モニタとした請求項１，２，３，４項記載の視認カメラ装着車。
【請求項１６】モニタを、液晶パネルの前面に縦部材にて形成された枠体を取り付けて成る複合モニタとした請求項１，２，３，４項記載の視認カメラ装着車。
【請求項１７】ビデオカメラの撮像レンズに、ビデオカメラの設置位置名や撮像方向名や撮像範囲名等を表示した箇所を設けた請求項１，２，３，４項記載の視認カメラ装着車。
【請求項１８】透明保護具ボデーのガラス窓の外側に庇部を設けた請求項１，２，３，４項記載の視認カメラ装着車。
【請求項１９】ビデオカメラをルーフ上周縁部に八文銭形に配置し、ルーフ前縁部の左端に左車側前方視認用ビデオカメラを取り付け、中央に正面視認用ビデオカメラ、右端に右車側前方視認用ビデオカメラを取り付け、ルーフ後縁部の左端に左車側後方視認用ビデオカメラを取り付け、中央に背面視認用ビデオカメラ、右端に右車側後方視認用ビデオカメラを取り付け、ルーフの左側と右側の中央にそれぞれ車側左方向視認用ビデオカメラと、車側右方向視認用ビデオカメラを取り付けた請求項１，２、３，４記載の視認カメラ装着車。
【請求項２０】ビデオカメラをルーフ上周縁部に六文銭形に配置し、ルーフ前縁部の左端に左車側前方視認用ビデオカメラを取り付け、右端に右車側前方視認用ビデオカメラを取り付け、ルーフ後縁部の左端に左車側後方視認用ビデオカメラ、右端に右車側後方視認用ビデオカメラを取り付け、ルーフの左側と右側の中央にそれぞれ車側左方向視認用ビデオカメラと、車側右方向視認用ビデオカメラを取り付けた請求項１，２、３，４記載の視認カメラ装着車。
【請求項２１】ビデオカメラをルーフ上周縁部に台形に配置し、ルーフ前縁部の左端に左車側前方視認用ビデオカメラ、中央に正面視認用ビデオカメラ、右端に右車側前方視認用ビデオカメラを取り付け、ルーフ後縁部の左端に左車側後方視認用ビデオカメラを、右端に右車側後方視認用ビデオカメラを取り付けた請求項１，２、３，４記載の視認カメラ装着車。
【請求項２２】ビデオカメラをルーフ上周縁部に四方形に配置し、ルーフ前縁部の左端に左車側前方視認用ビデオカメラを取り付け、右端に右車側前方視認用ビデオカメラを取り付け、ルーフ後縁部の左端に左車側後方視認用ビデオカメラを取り付け、右端に右車側後方視認用ビデオカメラを取り付けた請求項１，２、３、４記載の視認カメラ装着車。
【請求項２３】ビデオカメラをルーフ上周縁部に菱形に配置し、ルーフ前縁部の中央に正面視認用ビデオカメラと、ルーフ後縁部の中央に背面視認用ビデオカメラを取り付け、ルーフの左側と右側の中央にそれぞれ車側左方向視認用ビデオカメラと、車側右方向視認用ビデオカメラを取り付けた請求項１，２、３，４記載の視認カメラ装着車。
【請求項２４】自動車のルーフ上にビデオカメラを設けて、車室内の天井周縁部と天井中心部の間にモニタを設け、又は、車室内前部にモニタを設けたことを特徴とする視認カメラ装着車において、ルーフ上の左右に取り付けた取付ベースに第二枢支軸を立設し、第二枢支軸に第二回転体基盤を挿入し、第二回転体基盤に第二回転体を取り付け、第二回転体を第二枢支軸を中心にモータにて水平方向に回動するようにし、次に第二回転体の第二側壁に第一枢支軸を立設し、第一枢支軸に第一回転体基盤を挿入し、第一回転体基盤に第一回転体を取り付け、第一回転体を第一枢支軸を中心にモータにて上下方向に回動するようにし、第一回転体を透明保護具ボデーの内部基端に取り付け、透明保護具ボデーを水平方向と上下方向に回動するようにした電動回動式透明保護具の透明保護具ボデーの内部に、ビデオカメラを一台取り付けた視認カメラ装着車。
【請求項２５】自動車のルーフ上にビデオカメラを設けて、車室内の天井周縁部と天井中心部の間にモニタを設け、又は、車室内前部にモニタを設けたことを特徴とする視認カメラ装着車において、ルーフ上の左右に取り付けた取付ベースに第二枢支軸を立設し、第二枢支軸に第二回転体基盤を挿入し、第二回転体基盤に第二回転体を取り付け、第二回転体を第二枢支軸を中心にモータにて水平方向に回動するようにし、次に第二回転体の第二側壁に第一枢支軸を立設し、第一枢支軸に第一回転体基盤を挿入し、第一回転体基盤に第一回転体を取り付け、第一回転体を第一枢支軸を中心にモータにて上下方向に回動するようにし、第一回転体を透明保護具ボデーの内部基端に取り付け、透明保護具ボデーを水平方向と上下方向に回動するようにした電動回動式透明保護具の透明保護具ボデーの内部に、ビデオカメラの撮像方向を１８０度向きを変えて二台取り付けた視認カメラ装着車。
【請求項２６】自動車のルーフ上にビデオカメラを設けて、車室内の天井周縁部と天井中心部の聞にモニタを設け、又は、車室内前部にモニタを設けたことを特徴とする視認カメラ装着車において、ルーフ上の左右に取り付けた取付ベースに第二枢支軸を立設し、第二枢支軸に第二回転体基盤を挿入し、第二回転体基盤に第二回転体を取り付け、第二回転体の第二枢支軸を中心にモータにて水平方向に回動するようにし、次に第二回転体の第二側壁に第一枢支軸を立設し、第一枢支軸に第一回転体基盤を挿入し、第一回転体基盤に第一回転体を取り付け、第一回転体を第一枢支軸を中心にモータにて上下方向に回動するようにし、第一回転体を透明保護具ボデーの内部基端に取り付け、透明保護具ボデーを水平方向と上下方向に回動するようにした電動回動式透明保護具の透明保護具ボデーの内部に、複数カメラ取付プレートを設け、複数カメラ取付プレートにビデオカメラを複数台取り付けた視認カメラ装着車。
【請求項２７】ルーフ上にビデオカメラを設けた視認カメラ装着車において、ミラーボデーの中央に形成された主球継手を中心に９０度の位置に上下用進退杆と左右用進退杆を設け、  それに対面してミラー取付板に主球座と上下用進退杆球座と左右用進退杆球座を形成し、両進退杆の片端にミラー取付板の進退杆球座に嵌設される進退杆球継手を形成し、進退杆の両端部は、片端をミラー取付板側の軸受に挿入し、他端をフエザーキーを内面に取り付けたフエザーキー軸受に挿入する。フエザーキー軸受を前進後退する進退杆にフエザーキー溝を削成し、フエザーキー軸受のフエザーキーと進退杆のフエザーキー溝を嵌装する。進退杆の中央部にはオスネジ部が削成され、駆動モータにより回動するウォームホィールのメスネジ部に螺嵌され、ウォームホィールの両側は、ミラーボデーの両軸受の内側面に接触して回転可能にし、駆動モータにて回転するウォームホィールのメスネジ部に螺嵌された進退杆を軸方向に移動し、ミラー取付板の各進退杆球座に嵌設された進退杆球継手を進退し、主球継手を中心にして、ミラーを取り付けたミラー取付板を上下方向と左右方向に傾動させる電動ミラー駆動装置をビデオカメラに添設した電動ミラー駆動装置付きビデオカメラを透明保護具基台に設け、透明保護具基台に透明保護具ボデーを覆設して取付けた請求項３，４記載の視認カメラ装着車。
【請求項２８】ルーフ上に設けたビデオカメラに覆設する透明保護具において、ガラス窓を複数設けた透明保護具ボデーの下端部を透明保護具基台に取り付け、透明保護具基台上にビデオカメラ取付台を複数取り付け、各ビデオカメラ取付台に電動ミラー駆動装置付きビデオカメラを取り付け、各ガラス窓のガラスに接触したワイパーを揺動する電動ワイパー装置を設けた請求項３，４記載の視認カメラ装着車。
【請求項２９】ルーフ上に設けるビデオカメラにおいて、透明保護具ボデー内にビデオカメラ取付台を保持し、ビデオカメラ取付台に電動ミラー駆動装置付きビデオカメラを取り付け、ルーフ上に取付ベースを取付け、取付ベースに枢支軸基盤を取付け、枢支軸に回転体基盤を嵌装し、回転体基盤に回転体を取り付け、回転体基盤に透明保護具ボデーの下端部を取り付け、ビデオカメラを内装した透明保護具ボデーを回転体にて回動するようにして取付けた請求項３，４記載の視認カメラ装着車。
【請求項３０】ルーフ上に設けたビデオカメラに覆設する透明保護具において、ルーフ下に保持筒を取付け、保持筒内にて透明保護具の上部ガラス体を上下に滑動するように透明保護具の上部ガラス体を保持筒に貫挿し、透明保護具の上部ガラス体下部に透明保護具基台を取付け、透明保護具基台の下に昇降用オスネジ部と昇降用メスネジ部よりなる電動ネジ型昇降装置を取付け、保持筒の上部に透明保護具の上部ガラス体と接触する固定ワイパーを取付けた請求項３，４記載の視認カメラ装着車。
【請求項３１】ルーフ上に設けるビデオカメラに覆設する透明保護具において、ルーフ下に保持筒を取り付け、透明保護具の上部ガラス体を保持筒に緩挿し、透明保護具の上部ガラス体の下端部を透明保護具基台に取付け、透明保護具基台の下に圧力シリンダーのヘッドカバーを取り付け、圧力シリンダーのピストンロッドの先端部を保持筒基台に取り付け、保持筒の上部に透明保護具の上部ガラス体と接触する固定ワイパーを取付けた請求項３，４記載の視認カメラ装着車。
【請求項３２】ルーフ上に設けるビデオカメラに覆設する透明保護具において、ルーフ下に保持筒を取り付け、保持筒内に透明保護具の上部ガラス体を緩挿し、透明保護具の上部ガラス体の下端部に透明保護具基台を取付け、透明保護具基台の下に圧力シリンダーのヘッドカバーを取り付け、ピストンロッドの先端部を保持筒基台の上に取り付け、保持筒の上部に透明保護具の上部ガラス体と接触する固定ワイパーを取付けた請求項３，４記載の視認カメラ装着車。
【請求項３３】ルーフ上に設けるビデオカメラに覆設する透明保護具において、ルーフ下に保持筒を取り付け、保持筒内に透明保護具の上部ガラス体を緩挿し、透明保護具の上部ガラス体の下端部に透明保護具基台を取付け、透明保護具基台の下に圧力シリンダーのピストンロッドの先端部を取り付け、圧力シリンダーのヘッドカバーを保持筒基台の上に取り付け、保持筒の上部に透明保護具の上部ガラス体と接触する固定ワイパーを取付けた請求項３，４記載の視認カメラ装着車。
【請求項３４】ルーフ上に設けるビデオカメラを覆設した透明保護具において、透明保護具基台の上に回動台基盤を取り付け、回動台基盤に電動回動機を取り付け、電動回動機に上部台盤を取り付ける。２組の電動ミラー駆動装置付きビデオカメラをビデオカメラ取付台に取り付け、ビデオカメラ取付台を電動回動機の上部台盤に取り付け、透明保護具基台の下に圧力シリンダーのヘッドカバーを取り付け、圧力シリンダーのピストンロッドの先端部を保持筒基台に取り付け、保持筒の上部に透明保護具と接触する固定ワイパーを取付けた請求項３，４記載の視認カメラ装着車。
【請求項３５】ルーフ上に設けるビデオカメラを覆設した透明保護具において、透明保護具基台の上に回動台基盤を取り付け、回動台基盤に電動回動機を取り付け、電動回動機に上部台盤を取り付ける。２組の電動ミラー駆動装置付きビデオカメラをビデオカメラ取付台に取り付け、ビデオカメラ取付台を電動回動機の上部台盤に取り付け、透明保護具基台の下に圧力シリンダーのピストンロッドの先端部を取り付け、保持筒基台の上に圧力シリンダーのヘッドカバーを取り付け、保持筒の上部に透明保護具と接触する固定ワイパーを取付けた請求項３，４記載の視認カメラ装着車。
【請求項３６】ルーフ上に設けるビデオカメラを覆設した透明保護具において、固定台盤と透明保護具基台とを分離し、固定台盤の上に回動台基盤を取付け、回動台基盤に電動回動機を取付け、電動回動機にビデオカメラ取付台を取り付け、ビデオカメラ取付台上に２組の電動ミラー駆動装置付きビデオカメラを取り付ける。固定台盤を昇降案内ボルトにて保持筒基台に支持して固定し、透明保護具基台に昇降用案内孔を設け、透明保護具基台の昇降用案内孔に昇降用案内ボルトを緩押し、保持筒の上部に透明保護具の上部ガラス体と接触する固定ワイパーを取付け、透明保護具基台の下に圧力シリンダーのヘッドカバーを取り付け、圧力シリンダーのピストンロッドの先端部を保持筒基台に取り付け、透明保護具の上部ガラス体を取付けた透明保護具基台のみを上下に駆動する請求項３，４記載の視認カメラ装着車。
【請求項３７】ルーフ上に設けるビデオカメラを覆設した透明保護具において、固定台盤と透明保護具基台とを分離し、固定台盤の上に回動台基盤を取付け、回動台基盤に電動回動機を取付け、電動回動機にビデオカメラ取付台を取り付け、ビデオカメラ取付台上に２組の電動ミラー駆動装置付きビデオカメラを取り付ける。固定台盤を昇降用案内ボルトにて保持筒基台に支持して固定し、透明保護具基台に昇降用案内孔を設け、透明保護具基台の昇降用案内孔に昇降用案内ボルトを緩挿し、保持筒の上部に透明保護具の上部ガラス体と接触する固定ワイパーを取付け、透明保護具基台の下に圧力シリンダーのピストンロッドの先端部を取り付け、保持筒基台に圧力シリンダーのヘッドカバーを取り付け、透明保護具の上部ガラス体を取付けた透明保護具基台のみを上下に駆動する請求項３，４記載の視認カメラ装着車。
【請求項３８】ルーフ上の中央に前後に長い縦列型透明保護具を立設し、縦列型透明保護具内部の前後左右に、複数のビデオカメラを取り付けた請求項３，４記載の視認カメラ装着車。
【請求項３９】ルーフ上中央に設けた電動回動台上にビデオカメラを取り付けて透明保護具を覆設し、ルーフ上の前縁部と後縁部の中央に、透明保護具を覆設したビデオカメラをビデオカメラ保持台の上部に取り付けた請求項３，４記載の視認カメラ装着車。
【請求項４０】ルーフ上に設置した複数のビデオカメラから映像信号を伝送されるモニタを、それぞれ装着した単体モニタボデーを個別に、車室前方上部に複数設けた請求項３，４記載の視認カメラ装着車。
【請求項４１】ルーフ上に設置した複数のビデオカメラから映像信号を伝送されるモニタを、二台づつ一台のモニタボデーに装着した連合モニタボデーを、車室前方上部に複数設けた請求項３，４記載の視認カメラ装着車。
【請求項４２】ルーフ上に設置した複数のビデオカメラから映像信号をそれぞれ伝送されるモニタを装着したモニタボデーにおいて、車室内前方上部にモニタボデー回動具の回動具ボデーを取り付け、回動具ボデーの両側の軸受にて回動軸を支持し、回動軸の中間に欠歯歯車を取り付け、モニタボデー回動具内に圧力シリンダーを設け、圧力シリンダーのピストンロッドの先端部にラックを取り付け、欠歯歯車を圧力シリンダーのラックと歯合し、ピストンロッドの前進後退にて欠歯歯車を回動させるようにしたモニタボデー回動具の回動軸の両端部を、モニタボデーの両端部に連結して、モニタボデーを格納位置と使用位置に回動する請求項３，４記載の視認カメラ装着車。
【請求項４３】ルーフ上に設置した複数のビデオカメラから映像信号をそれぞれ伝送されるモニタを装着したモニタボデーにおいて、車室内前方上部にモニタボデー回動具の回動具ボデーを取り付け、回動具ボデーの両側にサポートフレームを取り付け、サポートフレームに回転体の側壁を取り付け、回転体の回転体基盤に枢支軸を挿入して枢支軸基盤に回転体を取り付ける。枢支軸に緩挿された回転体基盤はウォームホイール、クラッチガイド、クラッチプレート、圧縮スプリング、上部ワッシャ等を順次挿入し、上部ワッシャの上面位置にＵプレートを配置して枢支軸に設けた係止溝に係止され、モータに直結されたウォームや減速歯車群を経て回動されるウォームホイールに摩擦結合され、回転体基盤に取付ベースを取り付ける。視認カメラ装着車のモニタボデーに使用する場合は、回動具ボデーの両側にある取付ベースを、モニタボデーの両側に嵌装し、モニタボデーの内部にて螺設して、モニタボデーを格納位置と使用位置に回動する請求項３，４記載の視認カメラ装着車。
【請求項４４】ルーフ上に設置した複数のビデオカメラから映像信号をそれぞれ伝送されるモニタを装着した単体モニタボデーと連合モニタボデーを組み合わせて、車室前方上部に取り付けた請求項３，４記載の視認カメラ装着車。
【請求項４５】ルーフ上に設置した複数のビデオカメラから映像信号をそれぞれ伝送されるモニタを、長大モニタボデーに横並びに隣接して、車室内前方上部に取り付けた請求項３，４記載の視認カメラ装着車。
【請求項４６】ルーフ上に設置した複数のビデオカメラから映像信号を伝送されるモニタ群を横並びに隣接して装着した移動式モニタボデーを、車室内天井とルーフの間に設けた格納室と車室内前方上部の間を前進後退して移動するようにした請求項１，２、３，４記載の視認カメラ装着車。
【請求項４７】ルーフ上に設置した複数のビデオカメラから映像信号をそれぞれ伝送される総合モニタを装着した移動式モニタボデーを、車室内天井とルーフの間に設けた格納室と車室内前方上部の間を前進後退して移動するようにした請求項１，２、３，４記載の視認カメラ装着車。
【請求項４８】ルーフ上に設置した複数のビデオカメラから映像信号をそれぞれ伝送されるモニタ群や総合もニタを、インストルメント  パネルの表面に取り付けた請求項１，２、３，４記載の視認カメラ装着車。
【請求項４９】ルーフ上に設置した複数のビデオカメラから映像信号をそれぞれ伝送されるモニタを装着した車室内前方上部用の移動式モニタボデーにおいて、ルーフ下にハウジングを取付け、摺動テーブルに摺動テーブル前端アームを取り付け、摺動テーブル前端アームの両側に案内凸部を設け、ハウジングの内側部に案内溝部を取り付け、案内凸部をハウジングのテーブル案内溝に嵌装し、ハウジングの先端下部に倣カーブ材を取付け、摺動テーブル前端アームの先端にハンガーを取付け、ハンガーに移動式モニタボデーの吊具軸を緩挿し、移動式モニタボデーの吊具軸にクランク腕の下部を軸止し、クランク腕の上部にローラ車を緩挿し、ローラ車を倣カーブ材の表面に接触させ、倣カーブ材の前進後退にて傾動するクランク腕により、車室内前方上部用の移動式モニタボデーを、使用位置と格納位置に前進後退しながら自動的に回動する請求項１，２、３，４記載の視認カメラ装着車。
【請求項５０】ルーフ上に設置した複数のビデオカメラから映像信号をそれぞれ伝送されるモニタを装着した車室内前方上部用の移動式モニタボデーにおいて、ルーフ下にハウジングを取付け、摺動テーブルに摺動テーブル前端アームを取り付け、摺動テーブル前端アームの両側に案内凸部を設け、ハウジングの内側部に案内溝部を取り付け、案内凸部をハウジングのテーブル案内溝に嵌装し、ハウジングの先端下部に欠歯ラックを取付け、摺動テーブル前端アームの先端にハンガーを取付け、下部支持軸をハンガーに軸止し、下部支持軸に移動式モニタボデーの吊具を緩挿し、吊具に欠歯歯車を添設して固定し、上部支持軸をハンガーに緩挿し、上部支持軸に転換歯車を緩挿し、欠歯歯車と転換歯車と歯合し、上部支持軸にＵプレートを固定し、連結車をフェザーキーにて上部支持軸に軸方向に緩挿し、転換歯車の片側に連結車、スプリング、ワッシャ、Ｕプレートの順に配置し、転換歯車の他側にスラストワッシャを配置し、転換歯車をスプリングにて圧着する連結車により上部支持軸と一体に回動するようにし、ハンガーの外側の上部支持軸に回動歯車を軸止し、回動歯車の外周と歯底の平面が接触し歯部で歯合する欠歯ラックを、ハウジングの前端部の下面に取り付け、回動歯車と欠歯ラックとの作動関係を、回動歯車が前進して欠歯ラックと歯合して回動し、後退して歯合を脱すると回動が止まるように設置する。摺動テーブルの前進後退にて回動歯車と欠歯ラックの作用により、車室内前方上部用の移動式モニタボデーを使用位置と格納位置に前進後退しながら自動的に回動する請求項１，２、３，４記載の視認カメラ装着車。
【請求項５１】ルーフ上に設置した複数のビデオカメラから映像信号をそれぞれ伝送されるモニタを装着した車室内前方上部用の移動式モニタボデーにおいて、ルーフ下にハウジングを取付け、ハウジングの内側部にテーブル案内溝部を取り付け、摺動テーブルの両側に設けられたテーブル案内凸部を、ハウジングのテーブル案内溝に嵌装し、摺動テーブルの前端部にスチールベルトの後端部を取り付け、ハウジングの前部に案内溝上部材と案内溝下部材にてベルト案内溝を形成し、ベルト案内溝にスチールベルトの両側を緩嵌して、スチールベルトが摺動できるようにし、ハウジングの前部に誘導案内レール材を取付け、スチールベルトの先端部を先端上部取付材とハンガー付下部摺動材にて挟着して取り付け、ハンガー付下部摺動材のハンガーに移動式モニタボデーの吊具を吊具軸にて軸支し、移動式モニタボデーをスチールベルトの先端部に取り付ける。ハンガー付下部摺動材の下面を誘導案内レール材の上面に当接して、スチールベルトの前進後退により、ハンガー付下部摺動材の下面が誘導案内レール材の上面を摺動できるようにする。移動式モニタボデーと一体に形成された吊具の側面は、ハンガーの側面にスプリングワッシャ等にて摩擦結合され、移動式モニタボデーの使用時の仰角が自由に調節できるようにし、テーブル案内溝、ベルト案内溝、誘導案内レールによって、円滑に誘導される移動式モニタボデーの前進後退により、車室内前方上部用の移動式モニタボデーを、格納位置と使用位置に前進後退しながら自動的に回動する請求項１，２，３，４記載の視認カメラ装着車。
【請求項５２】ルーフ上に設置した複数のビデオカメラから映像信号をそれぞれ伝送されるモニタを装着した車室内前方上部用の移動式モニタボデーを、摺動テーブルにて前進後退する視認カメラ装着車において、ルーフ下にハウジングを取付け、摺動テーブルの両端の下面に設けられた案内凸部を、ハウジングの両側に設けられたテーブル案内溝に嵌装し、ハウジングの上に跨げて前部梁材と後部梁材を両端支持して固定し、前部梁材にモータ、減速装置、ウォーム、ウォームホィール等を設け、ウォームホィール軸を軸接手にてボールねじの前端部に取り付け、ボールねじの後端部をボールねじ保持体に軸支し、ボールねじ保持体を後部梁材に取り付けて、ボールねじをハウジングの上方に両端支持し、ナット保持体を摺動テーブルに取り付け、ボールねじとナット保持体のナットを歯合し、モータにて回動するボールねじと歯合するナットを取り付けたナット保持体により、摺動テーブルを前進後退させて、車室内前方上部用の移動式モニタボデーを使用位置と格納位置に前進後退しながら自動的に回動するようにした請求項１，２，３，４記載の視認カメラ装着車。
【請求項５３】ルーフ上に設置した複数のビデオカメラから映像信号をそれぞれ伝送されるモニタを装着した車室内前方上部用の移動式モニタボデーを、摺動テーブルにて前進後退する視認カメラ装着車において、ルーフ下にハウジングを取付け、摺動テーブルの両端の下面に設けられた案内凸部を、ハウジングの両側に設けられたテーブル案内溝に嵌装し、摺動テーブルの上にボールねじ保持体と、モータにてウォームホィール軸を回動する減速装置やウォームやウォームホィールやモータ等を設け、ボールねじの後端部をボールねじ保持体に挿着し、ボールねじの前端部をウォームホィール軸に軸接手にて連結して両端支持し、摺動テーブルの上方を跨げて後部梁材をハウジングの上に両端支持して固定し、後部梁材にナットを取り付けたナット保持体を取り付け、後部梁材に取り付けられたナット保持体のナットと摺動テーブルのボールねじを歯合し、モータにてボールねじを正逆に回動させることにより、ボールねじの両端が支持された摺動テーブルを前進後退させ、車室内前方上部用の移動式モニタボデーを使用位置と格納位置に前進後退しながら自動的に回動するようにした請求項１，２，３，４記載の視認カメラ装着車。
【請求項５４】ルーフ上に設置した複数のビデオカメラから映像信号をそれぞれ伝送されるモニタを装着した車室内前方上部用の移動式モニタボデーを、摺動テーブルにて前進後退する視認カメラ装着車において、ハウジングの内部両側にラックを取付け、そのラックと歯合するピニオンを先端に取り付けたピニオン軸を駆動するウォームホィールや、ウォームと減速機とモータ等を摺動テーブルに取り付け、摺動テーブルの両側に設けられた案内凸部を、ハウジングの両側に設けられたテーブル案内溝に嵌装し、モータを回転して減速機を経てウォームとウォームホィール等によって減速されたピニオンが、固定ラックの上を回転して、摺動テーブルを前進後退させることにより、車室内前方上部用の移動式モニタボデーを使用位置と格納位置に自動的に回動するようにした請求項１，２，３，４記載の視認カメラ装着車。
【請求項５５】ルーフ上に設置した複数のビデオカメラから映像信号をそれぞれ伝送されるモニタを装着した車室内前方上部用の移動式モニタボデーを、摺動テーブルにて前進後退する視認カメラ装着車において、ルーム下にハウジングを取り付け、ハウジングの両側に跨がる前部梁材を両端支持して固定し、前部梁材にピニオンとピニオン軸を回動するウォームホィールとウォームと減速機やモータ等を取り付け、ピニオンと歯合するラックを摺動テーブルに取り付け、モータを回転して減速機を経てウォームとウォームホィール等によって回動するピニオンが、摺動テーブルに固定されたラックを駆動して、摺動テーブルを前進後退させることにより、移動式モニタボデーを使用位置と格納位置に前進後退しながら自動的に回動するようにした請求項１，２，３，４記載の視認カメラ装着車。
【請求項５６】ルーフ上に設置した複数のビデオカメラから映像信号をそれぞれ伝送されるモニタを装着した車室内前方上部用の移動式モニタボデーを、摺動テーブルを前進後退させることにより、車室内前方上部用の移動式モニタボデーを使用位置と格納位置に動かせるようにした視認カメラ装着車において、後部梁材上に定張力ばね本体を軸支し、定張力ばね本体の定張力ばねの先端部を、摺動テーブル上の後側に連結して、摺動テーブルを後部梁材方向に引張るようにした請求項１，２，３，４記載の視認カメラ装着車。
【請求項５７】ルーフ上に設置した複数のビデオカメラから映像信号をそれぞれ伝送されるモニタを装着した車室内前方上部用の移動式モニタボデーを、摺動テーブルにて前進後退する視認カメラ装着車において、ルーフ下にハウジングを取り付け、摺動テーブルが摺動できるように、摺動テーブルとハウジングとの間に案内部を設け、前部梁材と後部梁材をハウジング上に跨げて両端支持して固定し、前部梁材の両側の下に前部案内用スプロケットを２個づつ取り付け、また後部梁材の両側の下に後部案内用スプロケットを２個づつ取り付け、前部梁材上に駆動用スプロケットとスプロケット軸を駆動するスプロケット用モータと減速歯車や駆動用ウォームや駆動用ウォームホィール等を取り付け、前部梁材から下に吊り下げた駆動用スプロケットを両側から２条のローラチェーンで挟持して、駆動用スプロケットと歯合した２条のローラチェーンを、前部梁材の前部案内用スプロケットと後部梁材の後部案内用スプロケットに歯合して一回りし、駆動用スプロケットの内側に歯合したローラチェーンは、摺動テーブルの片側の張力調整具に両端を取り付け、駆動用スプロケットの外側に歯合したローラチェーンは、摺動テーブルの他側の張力調整具に両端を取り付けて、それぞれ一対の張力調整具にて連結し、スプロケット用モータにて回動する駆動用スプロケットと、それと歯合する２条のローラチェーンにて、摺動テーブルを前進後退させることにより、車室内前方上部用の移動式モニタボデーを使用位置と格納位置に前進後退しながら自動的に回動するようにした請求項１，２，３，４記載の視認カメラ装着車。
【請求項５８】ルーフ上に設置した複数のビデオカメラから映像信号をそれぞれ伝送されるモニタを装着した車室内前方上部用の移動式モニタボデーを、摺動テーブルにて前進後退する視認カメラ装着車において、ルーフ下にハウジングを取り付け、摺動テーブルが摺動できるように、摺動テーブルとハウジングとの間に案内部を設け、前部梁材と後部梁材をハウジング上に跨げて両端支持して固定し、前部梁材の両側の下に前部案内用スプロケットを２個づつ取り付け、また後部梁材の両側の下に後部案内用スプロケットを２個づつ取り付ける。前部梁材上に第一駆動用スプロケット軸や第二駆動用スプロケット軸を駆動するスプロケット用モータとギヤボックス内に減速歯車や駆動用ウォームや駆動用ウォームホィール等を取り付ける。前部梁材上に設けたギヤボックス内の上部軸受と第一下部軸受に、第一駆動用スプロケット軸を軸支し、第一駆動用スプロケット軸に駆動用ウォームホィールと第一歯車を取り付け、駆動用ウォームホィールと駆動用ウォームと歯合し、第一駆動用スプロケット軸の下端部に第一駆動用スプロケットを取り付ける。ギヤボックス内の側部軸受と第二下部軸受に、第二駆動用スプロケット軸を軸支し、第二駆動用スプロケット軸に第二歯車を取り付け、第二駆動用スプロケット軸の下端部に第二駆動用スプロケットを取り付け、第一駆動用スプロケット軸の第一歯車と第二駆動用スプロケット軸の第二歯車を同大にし、第一歯車と第二歯車を歯合して、第一駆動用スプロケットの回転と第二駆動用スプロケットの回転を同一で逆方向になるようにし、第一駆動用スプロケットと第二駆動用スプロケットを前部梁材の下面から下方に吊り下げる。前部梁材から下に吊り下げた第一駆動用スプロケットの外側から第一サイレントチェーンを歯合し、第二駆動用スプロケットの外側から第二サイレントチェーンを歯合し、二条のサイレントチェーンを前部梁材の前部案内用スプロケットと後部梁材の後部案内用スプロケットに歯合して一回りし、第一サイレントチェーンは、摺動テーブルの片側の張力調整具に両端を取り付け、第二サイレントチェーンは、摺動テーブルの他側の張力調整具に両端を取り付けて、それぞれ一対の張力調整具にて連結し、スプロケット用モータにて回動する第一駆動用スプロケットと歯合する第一サイレントチェーンと第二駆動用スプロケットと歯合する第二サイレントチェーンにて、摺動テーブルを前進後退させることにより、車室内前方上部用の移動式モニタボデーを、使用位置と格納位置に前進後退しながら自動的に回動するようにした請求項１，２，３，４記載の視認カメラ装着車。
【請求項５９】ルーフ上に設置した複数のビデオカメラから映像信号をそれぞれ伝送されるモニタを装着した車室内前方上部用の移動式モニタボデーを、摺動テーブルにて前進後退する視認カメラ装着車において、ルーフ下にハウジングを取り付け、摺動テーブルが摺動できるように、摺動テーブルとハウジングとの間に案内部を設け、前部梁材と後部梁材をハウジング上に跨げて両端支持して固定し、前部梁材の両側の下に前部案内用歯付ベルト車を２個づつ取り付け、また後部梁材の両側の下に後部案内用歯付ベルト車を２個づつ取り付ける。前部梁材上に第一駆動用歯付ベルト車軸や第二駆動用歯付ベルト車軸を駆動するスプロケット用モータとギヤボックス内に減速歯車や駆動用ウォームや駆動用ウォームホィール等を取り付ける。前部梁材上に設けたギヤボックスの上部軸受と第一下部軸受に駆動用ウォームホィール軸を軸支し、駆動用ウォームホィール軸に駆動用ウォームホィールと第一歯車を取り付け、駆動用ウォームホィール軸の先端部に第一歯付ベルト車を取り付け、ギヤボックス内の側部軸受と第二下部軸受に第二駆動用歯付ベルト車軸を軸支し、第二駆動用歯付ベルト車軸に第二歯車を取り付け、第二駆動用歯付ベルト車軸の下方の先端部に第二駆動用歯付ベルト車を取り付ける。第一駆動用歯付ベルト車軸の第一歯車と第二駆動用歯付ベルト車軸の第二歯車を同大にし、第一歯車と第二歯車を歯合して、第一駆動用歯付ベルト車の回転と第二駆動用歯付ベルト車の回転を同一で逆方向になるようにする。第一駆動用歯付ベルト車と第二駆動用歯付ベルト車を前部梁材の下面から下方に吊り下げ、前部梁材から下に吊り下げた第一駆動用歯付ベルト車と第二駆動用歯付ベルト車の各外側から第一歯付ベルトと第二歯付ベルトを歯合し、二条の歯付ベルトを前部梁材の前部案内用歯付ベルト車と後部梁材の後部案内用歯付ベルト車に歯合して一回りし、第一歯付ベルトの両端は摺動テーブルの片側の張力調整具に取り付け、第二歯付ベルトの両端は摺動テーブルの他側の張力調整具に取り付ける。また第一駆動用歯付ベルト車２７１と前部案内用歯付ベルト車２７５間の第一歯付ベルト２７３の背面に噛合歯数調整車を設け、第二駆動用歯付ベルト車２７１と前部案内用歯付ベルト車２７５の間の第一歯付ベルト２７３の背面に噛合歯数調整車を設ける。歯付ベルト車用モータにて回動する第一駆動用歯付ベルト車と歯合する第一歯付ベルトと、第二駆動用歯付ベルト車と歯合する第二歯付ベルトにて、摺動テーブルを前進後退させることにより、車室内前方上部用の移動式モニタボデーを、使用位置と格納位置に前進後退しながら自動的に回動するようにした請求項１，２，３，４記載の視認カメラ装着車。
【請求項６０】ルーフ上に設置した複数のビデオカメラから映像信号をそれぞれ伝送されるモニタを装着した車室内前方上部用の移動式モニタボデーを、駆動用モータにて回動する駆動用スプロケットや歯付ベルト車と、それと歯合する２条のチェーンや歯付ベルト等によって、摺動テーブルを前進後退させることにより、移動式モニタボデーを使用位置と格納位置に動かせるようにした視認カメラ装着車において、後部梁材上に定張力ばね本体を軸支し、定張力ばね本体の定張力ばねの先端部を、摺動テーブル上の後側に連結して、摺動テーブルを後部梁材方向に引張るようにした請求項１，２，３，４記載の視認カメラ装着車。
【請求項６１】ルーフ上に設置した複数のビデオカメラから映像信号をそれぞれ伝送されるモニタを装着した車室内前方上部用の移動式モニタボデーを、摺動テーブルにて前進後退する視認カメラ装着車において、ルーフ下にハウジングを取り付け、摺動テーブルの下面の両側に設けられた案内凸部をハウジングの両側に設けられたテーブル案内溝に嵌装し、ハウジングの両側に跨がって前部梁材と後部梁材を両端支持して固定し、前部梁材に圧力シリンダーを設け、圧力シリンダーのピストンロッドの先端部を、摺動テーブルの上に取付けたロッド保持体に連結し、摺動テーブルの前端部にスチールベルトの後端部を取り付け、スチールベルトの先端部を先端上部取付材とハンガー付き下部摺動材にて挟持して取り付け、ハンガー付き下部摺動材のハンガーに移動式モニタボデーの吊具を軸支し、圧力シリンダーのピストンロッドにてロッド保持体付き摺動テーブルを前進後退させ、車室内前方上部用の移動式モニタボデーを、使用位置と格納位置に前進後退しながら自動的に回動するようにした請求項１，２，３，４記載の視認カメラ装着車。
【請求項６２】ルーフ上に設置した複数のビデオカメラから映像信号をそれぞれ伝送されるモニタを装着した車室内前方上部用の移動式モニタボデーを、摺動テーブルにて前進後退する視認カメラ装着車において、ハウジングの両側に跨がる後部梁材を取り付け、後部梁材にロッド保持部を取り付け、摺動テーブルに圧力シリンダーを取り付け、圧力シリンダーのピストンロッドの先端部を、ハウジングに固定された後部梁材のロッド保持部と連結し、摺動テーブルの前端部にスチールベルトの後端部を取り付け、スチールベルトの先端部を先端上部取付材とハンガー付き下部摺動材にて挟持して取り付け、ハンガー付き下部摺動材のハンガーに移動式モニタボデーの吊具を軸支し、圧力シリンダーのピストンロッドを前進後退して、圧力シリンダーを取り付けた摺動テーブルを前進後退させて、車室内前方上部用の移動式モニタボデーを使用位置と格納位置に前進後退しながら自動的に回動するようにした請求項１，２，３，４記載の視認カメラ装着車。
【請求項６３】ルーフ上に設置した複数のビデオカメラから映像信号をそれぞれ伝送されるモニタを装着した車室内前方上部用の移動式モニタボデーを、圧力シリンダーを取り付けた摺動テーブルを前進後退させることにより、移動式モニタボデーを使用位置と格納位置に動かせるようにした視認カメラ装着車において、後部梁材上に定張力ばね本体を軸支し、定張力ばね本体の定張力ばねの先端部を、摺動テーブル上の後側に連結して、摺動テーブルを後部梁材方向に引張るようにした請求項１，２，３，４記載の視認カメラ装着車。
【請求項６４】ルーフ上に設置した複数のビデオカメラから映像信号を伝送されるモニタ群を装着した車室内前方下部用の移動式モニタボデーを、車室内前方のインストルメント  パネルに開設した横長の開口部から上下に出入できるようにした請求項１，２，３，４記載の視認カメラ装着車。
【請求項６５】ルーフ上に設置した複数のビデオカメラから映像信号を伝送される総合モニタを装着した車室内前方下部用の移動式モニタボデーを、車室内前方のインストルメント  パネルに開設した横長の開口部から上下に出入できるようにした請求項１，２，３，４記載の視認カメラ装着車。
【請求項６６】車室内前方のインストルメント  パネルの内部に設けた格納箱の側壁の圧力シリンダー基台に圧力シリンダーを取り付け、そのピストンロッドに連結した駆動用連桿の駆動用連桿ボスを、格納箱に貫通した第二駆動軸の外端部にキー止めして取り付けた駆動用クランクの先端軸に緩嵌し、格納箱内に貫通して取り付けた第二駆動軸に駆動歯車をキー止めして取り付け、その駆動歯車と噛合う同径の従動歯車を、格納箱内に貫通する従動軸に緩嵌めして取り付ける。駆動用クランクで回動される駆動歯車と同径の従動歯車の噛合により、同位相かつ反対に回動する両歯車の歯車部連桿軸と、車室内前方下部用の移動式モニタボデーの下部に取付けたモニタボデー部連桿軸を、それぞれ各連桿の上下孔部に緩嵌めして連結したことを特徴とする請求項１，２，３，４，６４，６５記載の視認カメラ装着車。
【請求項６７】車室内前方のインストルメント  パネルの下部に設けた格納箱の格納箱基台に移動式モニタボデー用駆動モータを取り付け、移動式モニタボデー用駆動モータにて回動される駆動歯車は、格納箱内に軸支された第二駆動軸にキー止し、格納箱内に貫挿した従動軸に緩嵌した従動歯車は、噛合する駆動歯車と同径とする。この同位相かつ反対に回転する駆動歯車と従動歯車の各歯車部連桿軸と、車室内前方下部用の移動式モニタボデーの下部に設けた各モニタボデー部連桿軸とを、それぞれ連桿の両端孔部に緩挿して連結したことを特徴とする請求項１，２，３，４，６４，６５記載の視認カメラ装着車。
【手続補正２】
【補正対象書類名】明細書
【補正対象項目名】０４７３
【補正方法】変更
【補正の内容】
【０４７３】本発明は、倍率楕円形の概念を創出して、ルーフ上に設置するビデオカメラの撮像レンズのズーム倍率を、図形化して円滑な長楕円形が描かれるように設定することができるので、横並びに隣接するモニタに映された交通状況の映像を、運転者が視認しながら運転する際に、ズーム段差による目の疲労がなく、正確な視認情報に基づいて安全運転ができるので、あらゆる交通事故を予防することができる。また、この新概念の使用により、先ず、この最適な倍率楕円形を仮設して、全ビデオカメラのズームレンズの倍率を決めることができるので、優れた視認性の視認カメラ装着車を創作することもがきる。